(57)【要約】【課題】少ない部品点数で安定的に可動框のスクリーン張設時のロックを行い、しかも、小さな力で容易にロックの解除を行うことができるスクリーン装置を提供する。【解決手段】スクリーン枠１の横方向枠４，５のガイド部６ａ，６ｂ，７ａ，７ｂにガイドさせた可動框１１によりスクリーン６０の開閉を行うスクリーン装置において、横方向枠におけるスクリーンの全張設状態において可動框１１が位置する部位に、上記ガイド部によるガイドを解除して可動框を上下方向に移動可能にする非ガイド空隙２５を設ける。上記スクリーン枠１と可動框１１との間に、上記非ガイド空隙２５内へ可動框端を挿入した該可動框の移動位置において、該可動框のガイド部に沿う方向への移動を阻止するための横方向枠側のストッパ部３１と可動框側の当接部３４，３５とを備える。【選択図】図４
2008025332.tif 000002
【特許請求の範囲】
【請求項１】
スクリーン枠の上下横方向枠にガイドさせた可動框により該スクリーン枠に張設するスクリーンの開閉を行うスクリーン装置において、
上記横方向枠におけるスクリーンの全張設状態において可動框が位置する部位に、上記横方向枠によるガイドを解除して可動框を上下方向に移動可能にする非ガイド空隙を設け、
上記スクリーン枠と可動框との間に、上記非ガイド空隙内へ可動框端を挿入した該可動框の上下方向移動位置において、該可動框の横方向枠に沿う方向への移動を阻止する係止手段を備えている、
ことを特徴とするスクリーン装置。
【請求項２】
上記スクリーン枠の外形を上下対称形状に形成すると共に、上記非ガイド空隙を上下の横方向枠に設け、
該スクリーン枠をその枠面内において１８０°回転させることにより、吊り元を左右逆に変更可能にした、
ことを特徴とする請求項１に記載のスクリーン装置。
【請求項３】
上記横方向枠が、スクリーン枠の縦枠と横枠とをコーナー部において連結する連結部材の横枠延長部及びそれに連結された上記横枠により構成され、上記非ガイド空隙が、上記連結部材の横枠延長部内に形成されている、
ことを特徴とする請求項１または２に記載のスクリーン装置。
【請求項４】
上記係止手段が、上記連結部材の横枠延長部に連結された横枠における可動框のガイド部の端部に形成されたストッパ部と、上記非ガイド空隙内への可動框端の挿入時に該ストッパ部へ当接する該可動框上の当接部とにより形成されている、
ことを特徴とする請求項３に記載のスクリーン装置。
【請求項５】
スクリーン枠のコーナー部において縦枠と連結される横枠内に、該横枠に沿ってその内部に収容したスクリーンの側縁ガイド部材を切除することにより、上記非ガイド空隙が形成されている、
ことを特徴とする請求項１または２に記載のスクリーン装置。
【請求項６】
上記係止手段が、スクリーン枠のコーナー部において横方向枠に固定した係止ブロックにおけるストッパ部と、上記非ガイド空隙内への可動框端の挿入時に該ストッパ部へ当接する該可動框上の当接部とにより形成されている、
ことを特徴とする請求項３または５に記載のスクリーン装置。
【請求項７】
上記ストッパ部とそれに当接する可動框上の当接部とが、上記非ガイド空隙内へ可動框端を挿入した該可動框の上下移動時に、該可動框の上下端においてそれぞれ当接するように、スクリーン枠及び可動框の上下にそれぞれ設けられている、
ことを特徴とする請求項４または６に記載のスクリーン装置。
【請求項８】
可動框をスクリーン枠にガイドさせた状態でスクリーンを可動框から離脱可能に形成すると共に、
上記非ガイド空隙の内底にスペーサを着脱自在に配設して、該スペーサの離脱により拡大される非ガイド空隙に一端を挿入した可動框の他端を、それがガイドされる横方向枠のガイド部から離脱可能に形成し、
結果的に可動框を設置状態にあるスクリーン枠から離脱可能にした、
ことを特徴とする請求項１〜４のいずれかに記載のスクリーン装置。
【請求項９】
係止手段を構成する係止ブロックが、上下の横方向枠の非ガイド空隙に設けられ、上方の係止ブロックに、スクリーンの全張設位置において可動框を下方の横方向枠における非ガイド空隙に落とし込むための傾斜ガイド面が形成されている、
ことを特徴とする請求項６に記載のスクリーン装置。
【請求項１０】
上下の係止ブロックが上下の横方向枠に同じ取付け構造で交換可能に取り付けられている、
ことを特徴とする請求項９に記載のスクリーン装置。
【請求項１１】
横方向枠に対する上下の係止ブロックの取付けのための固定部材が、横方向枠における係止ブロックの固定位置に固定されて、それに設けた固定穴の内面に１８０°を超えない範囲内で一対の螺旋状溝を有するものとして構成され、上記固定部材に被設される係止ブロックの上記固定穴に対向する位置に設けた取付孔内に固定子が回転自在にスナップ固定され、この固定子の周面に、上記螺旋状溝に係止するピンの一対を突設している、
ことを特徴とする請求項１０に記載のスクリーン装置。
【請求項１２】
一対のスクリーンを、スクリーン枠における左右の縦枠とそのそれぞれに対応する可動框との間に設け、両可動框によりそれぞれのスクリーンの開閉を独立に行い、中央部での両可動框の接合により両スクリーンを張設状態に保持するようにしたスクリーン装置において、
横方向枠における各スクリーンの全張設状態において各可動框が位置する部位に、それぞれ上記非ガイド空隙を設け、両可動框の端部を独立して上記非ガイド空隙内に挿脱可能にした、
ことを特徴とする請求項１に記載のスクリーン装置。
【請求項１３】
スクリーン枠における横枠の中央部において、該横枠に沿ってその内部に収容したスクリーンの側縁ガイド部材を切除することにより、上記非ガイド空隙が形成され、
上記非ガイド空隙内に、非ガイド空隙内への可動框端の挿入時に可動框の当接部が当接するストッパ部を備えた係止ブロックを固定している、
ことを特徴とする請求項１２に記載のスクリーン装置。
【請求項１４】
スクリーン枠の中央部における両可動框の接合位置の上部において横枠に固定する係止ブロックが、該横枠に固定するブロック基体に対し、両側の可動框の当接部がそれぞれ係止するストッパ部を備えたストッパ部材が、スプリングにより上方に付勢して設けられ、上記ストッパ部に、それに接近する可動框の当接部を上方に導く傾斜ガイド面が形成されている、
ことを特徴とする請求項１３に記載のスクリーン装置。
【請求項１５】
スクリーンを巻取軸内に設けたスプリングの付勢力で該巻取軸に巻き取るようにした巻取式であることを特徴とする請求項１〜１４のいずれかに記載のスクリーン装置。
【発明の詳細な説明】
【技術分野】
【０００１】
本発明は、スクリーンを張設した状態で可動框をスクリーン枠（受け枠）にロックする機構を簡単化したスクリーン装置に関するものである。
【背景技術】
【０００２】
従来から、防虫や遮光、目隠し、断熱等のためのスクリーン装置において、スクリーンを張設した状態で該スクリーンの可動框をスクリーン枠にロックする機構としては、可動框とスクリーン枠における受け枠との間にマグネットを用いたり、掛け鈎、錠等を用いているが、それぞれに問題点もあり、一層の簡単化、操作性の改善が望まれている。
例えば、上記マグネットでロックする場合には、安定的なロックのためにマグネットの吸着力を大きくすると、ロック解除のためにマグネットを吸着状態から離脱させるのに比較的大きな力を必要とし、また、巻取軸内に設けたスプリングの付勢力でスクリーンを巻き取るようにした巻取式のスクリーン装置では、上記スプリングの巻取力の違いによりロック解除のためのマグネットの引離し荷重や、掛け鈎の離脱操作荷重が変化してしまうという問題がある。更に、錠を設けると部品点数が多くなるばかりでなく、高価なものになる。
【発明の開示】
【発明が解決しようとする課題】
【０００３】
本発明の技術的課題は、少ない部品点数で安定的に可動框のロックを行うことができ、しかも、大きな力を掛けることなく容易にロックの解除を行うことができるスクリーン装置を提供することにある。
本発明の他の技術的課題は、横引きのスクリーンの全張設位置において可動框のロックを行うに当たり、該可動框をその重量を利用して非ガイド空隙に落とし込む簡単な構成とし、その場合に可動框の落とし込みを安定的に行えるようにしたスクリーン装置を提供することにある。
本発明の更に他の技術的課題は、両開きのスクリーン装置に対しても好適に適用でき、特に片側のスクリーンの可動框だけでも中央部でロックすることを可能にしたスクリーン装置を提供することにある。
【課題を解決するための手段】
【０００４】
上記課題を解決するため、本発明は、スクリーン枠の上下横方向枠にガイドさせた可動框により該スクリーン枠に張設するスクリーンの開閉を行うスクリーン装置において、上記横方向枠におけるスクリーンの全張設状態において可動框が位置する部位に、上記横方向枠によるガイドを解除して可動框を上下方向に移動可能にする非ガイド空隙を設け、上記スクリーン枠と可動框との間に、上記非ガイド空隙内へ可動框端を挿入した該可動框の上下方向移動位置において、該可動框の横方向枠に沿う方向への移動を阻止する係止手段を備えていることを特徴とするものである。
【０００５】
本発明に係るスクリーン装置の好ましい実施形態においては、上記スクリーン枠の外形を上下対称形状に形成すると共に、上記非ガイド空隙を上下の横方向枠に設け、該スクリーン枠をその枠面内において１８０°回転させることにより、吊り元を左右逆に変更可能に構成される。
【０００６】
本発明に係るスクリーン装置の他の好ましい実施形態においては、上記横方向枠が、スクリーン枠の縦枠と横枠とをコーナー部において連結する連結部材の横枠延長部及びそれに連結された上記横枠により構成され、上記非ガイド空隙が、上記連結部材の横枠延長部内に形成され、あるいは、スクリーン枠のコーナー部において縦枠と連結される横枠内に、該横枠に沿ってその内部に収容したスクリーンの側縁ガイド部材を切除することにより形成される。
【０００７】
これらの場合において、上記係止手段は、上記連結部材の横枠延長部に連結された横枠における可動框のガイド部の端部に形成されたストッパ部、あるいはスクリーン枠のコーナー部において横方向枠に固定した係止ブロックにおけるストッパ部と、上記非ガイド空隙内への可動框端の挿入時に該ストッパ部へ当接する該可動框上の当接部とにより形成される。上記ストッパ部とそれに当接する可動框上の当接部とは、上記非ガイド空隙内へ可動框端を挿入した該可動框の上下移動時に、該可動框の上下端においてそれぞれ当接するように、スクリーン枠及び可動框の上下にそれぞれ設けることが望まれる。
【０００８】
本発明に係るスクリーン装置の他の好ましい実施形態においては、可動框をスクリーン枠にガイドさせた状態でスクリーンを可動框から離脱可能に形成すると共に、上記非ガイド空隙の内底にスペーサを着脱自在に配設して、該スペーサの離脱により拡大される非ガイド空隙に一端を挿入した可動框の他端を、それがガイドされる横方向枠のガイド部から離脱可能に形成し、結果的に可動框を設置状態にあるスクリーン枠から離脱可能に構成される。
【０００９】
本発明に係るスクリーン装置の他の好ましい実施形態においては、前記係止手段を構成する係止ブロックが、上下の横方向枠の非ガイド空隙に設けられ、上方の係止ブロックには、スクリーンの全張設位置において可動框を下方の横方向枠における非ガイド空隙に落とし込むための傾斜ガイド面が形成される。この場合に、上下の係止ブロックの形態が異なる形態になるので、スクリーン枠の上下反転により吊り元を左右逆にするためには、係止ブロックが上下の横方向枠に同じ取付け構造で交換可能に取り付けられる。
【００１０】
横方向枠に対する上下の係止ブロックの着脱可能な取付けのためには、それらの係止ブロックの取付けのための固定部材を、横方向枠における係止ブロックの固定位置に固定されて、それに設けた固定穴の内面に１８０°を超えない範囲内で一対の螺旋状溝を有するものとして構成し、上記固定部材に被設される係止ブロックの上記固定穴に対向する位置に設けた取付孔内に固定子を回転自在にスナップ固定し、この固定子の周面に、上記螺旋状溝に係止するピンの一対を突設しておくのが、簡単で迅速な係止ブロックの交換のために有効である。
【００１１】
本発明に係るスクリーン装置の更に他の好ましい実施形態においては、一対のスクリーンを、スクリーン枠における左右の縦枠とそのそれぞれに対応する可動框との間に設け、両可動框によりそれぞれのスクリーンの開閉を独立に行い、中央部での両可動框の接合により両スクリーンを張設状態に保持するようにした両開きのスクリーン装置において、横方向枠における各スクリーンの全張設状態において各可動框が位置する部位に、それぞれ上記非ガイド空隙を設け、両可動框の端部を独立して上記非ガイド空隙内に挿脱可能に形成される。
【００１２】
本発明に係る上記両開きのスクリーン装置においては、スクリーン枠における横枠の中央部において、該横枠に沿ってその内部に収容したスクリーンの側縁ガイド部材を切除することにより上記非ガイド空隙が形成され、上記非ガイド空隙内に、非ガイド空隙内への可動框端の挿入時に可動框の当接部が当接するストッパ部を備えた係止ブロックが固定される。
また、スクリーン枠の上部において横枠に固定される係止ブロックが、該横枠に固定するブロック基体に対し、両側の可動框の当接部がそれぞれ係止するストッパ部を備えたストッパ部材がスプリングにより上方に付勢して設けられ、上記ストッパ部に、それに接近する可動框の当接部を上方に導く傾斜ガイド面が形成される。
上記構成を有するスクリーン装置は、スクリーンを巻取軸内に設けたスプリングの付勢力で該巻取軸に巻き取るようにした巻取式に形成するのが適しているが、それに限るものではない。
【発明の効果】
【００１３】
以上に詳述した本発明のスクリーン装置によれば、少ない部品点数で安定的に可動框のロックを行うことができ、しかも、大きな力を掛けることなく容易にロックの解除を行うことができるスクリーン装置を提供することができる。
また、本発明によれば、横引きのスクリーンの全張設位置において可動框のロックを行うに当たり、該可動框をその重量を利用して非ガイド空隙に落とし込むようにしているので、その構成が簡単であり、しかもその可動框の落とし込みを安定的に行うことができ、更に、両開きのスクリーン装置に対しても好適に適用でき、その場合に片側のスクリーンの可動框だけでも中央部でロックすることができる。
【発明を実施するための最良の形態】
【００１４】
以下に、本発明の実施の形態を、図面に基づいて詳細に説明する。
図１〜図７は、本発明に係るスクリーン装置の第１実施例を示し、図８及び図９はその一部を改変した第２実施例の要部を示している。このスクリーン装置におけるスクリーン枠１は、図１に明瞭に示すように、一対の縦枠２，３と上下の横方向枠４，５とを備えている。上記縦枠２，３は、その一方の縦枠２が内部にスクリーン１０を巻き取るための巻取軸１３を備えた巻取式スクリーン装置の巻取りボックスとして構成され、他方の縦枠３がスクリーン１０の全張設状態において可動框１１が当接する受け枠として構成されている。上記巻取りボックス内の巻取機構は、巻取軸１３内に設けたスプリング１４の付勢力でスクリーン１０を該巻取軸１３に巻き取るようにしたものである。このスクリーン装置１０は、後述するように、スクリーン枠１の外形を実質的に上下対称形状に形成し、スクリーン枠１の枠面内における１８０°の回転により、スクリーン１０の吊り元を左右逆に変更可能にしたものである。なお、上記スクリーン１０は、網戸用のネットとして構成することができる。
【００１５】
一方、上記横方向枠４，５の主要部を構成する横枠６，７は、巻取ボックスを構成する縦枠２に対しては，該巻取ボックスの端蓋２ａ，２ｂに連結しているが、受け枠を構成する縦枠３と横枠６，７との連結部分では、図４に示すように、スクリーン１０の全張設状態において可動框１１が縦枠３内まで進入するので、縦枠３の上下端のコーナー部における各連結部材８，９に、横枠６，７側からその内部に達するまで可動框１１の外面をガイドする横枠延長部８ａ，９ａが形成されている（図３、図４及び第２実施例の図８参照）。そのため、上記横方向枠４，５は、横枠６，７と、連結部材８，９内にまで延出した横枠延長部８ａ，９ａとにより構成されている。
【００１６】
上記横枠６，７は、スクリーン１０の側縁（図１における上下端縁）をガイドするもので、図２に示すように、該スクリーン１０側において開口する溝状の型材からなり、それらの開口の口縁に内向きに対向する各一対のガイド部６ａ，６ｂ及び７ａ，７ｂが形成されている。なお、上下の横枠６，７における一方側のガイド部６ｂ，７ｂは、内向き突出長が小さいので、外側にも突出する突部６ｃ，７ｃを設け、それによって、上記横枠６，７の開口の外面を可動框１１の両端に設けた各一対の転輪１６の転動面としている。
また、可動框１１の両端部表裏面側には、図２及び図７に示すように、上記横枠６，７のガイド部６ａ，６ｂ，７ａ，７ｂが嵌入する一対のガイド溝１７を備え、これらのガイド溝１７に対する上記ガイド部６ａ，６ｂ及び７ａ，７ｂの嵌入により、上記スクリーン１０の一端を保持する可動框１１の上下端をガイドするように構成している。
【００１７】
上記スクリーン１０の側縁（図１の上下端縁）を保持してガイドするため、図１，図２及び図５からわかるように、該スクリーン１０の両側縁には先端に多数の係合片１８ａを列設状態で取り付けた帯布状の係合部材１８を設け、一方、横枠６，７内には、摺動性のよい合成樹脂からなり、上記係合部材１８の係合片１８ａを係合させるスリット２０ａを設けた側縁ガイド部材２０を、その両側に突出する凸板２０ｂが横枠６，７の内溝６ｄ，７ｄ内において上下移動可能な範囲内において遊動自在に嵌挿している。上記スクリーン１０の側端に取り付ける係合部材１８は、汎用のファスナーの半体またはそれと同様な構造を有する素材を利用することができる。
【００１８】
上記スクリーン１０は、それが破損した場合の交換等のために、その一端が周知の手段で上記巻取軸１３に着脱自在に固定され、一方、スクリーン１０の他端は、図６及び図７に示すように、取付部材２２を介して可動框１１に着脱自在に固定されている。この取付部材２２は、合成樹脂により弾性的な開放傾向をもたせた断面Ｕ字状の部材により形成したもので、その一方の口縁に外向きの係合鈎部２２ａを設けると共に、内部に、スクリーン１０の端部に固定した係合子２３を係合させるスリット２２ｂを設けている。
一方、上記可動框１１には、上記取付部材２２を挿入する取付溝２４を設けると共に、該取付溝２４の口縁内に上記係合鈎部２２ａを係止させる係止凹部２４ａを設けている。また、上記取付部材２２の取り外しのため、取付溝２４の口縁の一部に、係止凹部２４ａに係止した取付部材２２の係合鈎部２２ａをドライバー等の工具の先端で該係止凹部２４ａから離脱させるための操作凹部２４ｂを設けている。
【００１９】
従って、上記取付部材２２内のスリット２２ｂにスクリーン１０の先端の係合子２３を係合させた状態で、上記取付部材２２を可動框１１における取付溝２４に弾性的に圧嵌したうえで、上記係合鈎部２２ａをその取付溝２４の口縁内の係止凹部２４ａに係合させることにより、スクリーン１０を可動框１１に固定することができる。但し、上記スクリーン１０の先端の取付構造は、可動框１１に対するスクリーン１０の上下方向の移動を許容するものであり、この移動は、後述するようにスクリーン１０の全張設状態において可動框１１を非ガイド空隙２５に落とし込んだときに、該スクリーン１０に皺が生じたり破損したりするのを防止するために有効なものである。
【００２０】
一方、可動框１１の取付溝２４の口縁の一部に設けた操作凹部２４ｂにドライバー等の工具の先端を挿入して、係止凹部２４ａに係止した取付部材２２の係合鈎部２２ａを該係止凹部２４ａから離脱させることにより、該取付部材２２を可動框１１の取付溝２４取り外すことができる。
なお、上記可動框１１からのスクリーン１０の着脱は、可動框１１をスクリーン枠１に装着した状態で行うことができ、それによって、スクリーン枠１の全体または一部を取り外すことなくスクリーン１０を交換することが可能になるばかりでなく、後述するスクリーン枠１からの可動框１１の着脱も容易になる。
【００２１】
スクリーン枠１内の全面にスクリーン１０を張設した状態で、可動框１１をその位置にロックできるようにするため、上記横方向枠４，５には、スクリーン１０が全張設状態にあるときに可動框１１が位置する部位、即ち、この実施例では、上記横枠６，７のガイド部６ａ，６ｂ及び７ａ，７ｂによる可動框１１のガイドが解除されるところの、縦枠３の上下端の連結部材８，９内に、可動框１１を上下方向に移動可能にする非ガイド空隙２５を設け（図４、図５及び第２実施例の図８参照）、可動框１１をそこに落とし込めるようにしている。
【００２２】
更に具体的に説明すると、前述したように、縦枠３の上下端の連結部材８，９には、可動框１１の外面をガイドする横枠延長部８ａ，９ａを形成しているが、第２実施例の図８に明瞭に示すように、横枠６，７はこの横枠延長部８ａ，９ａ内まで挿入されず、また、該横枠延長部内には上記横枠６，７のガイド部６ａ，６ｂ及び７ａ，７ｂに相当するものを備えず、その内面は平面状をなしている。そのため、この連結部材８，９の横枠延長部８ａ，９ａ内まで進入した可動框１１は、スクリーン枠１の枠面に対して直交する方向の移動のみを拘束され、可動框１１の開閉方向及び上下方向には移動可能となる。この可動框１１の上下移動を可能にする空隙を、ここでは非ガイド空隙２５と名付けている。すなわち、この連結部材８，９の横枠延長部８ａ，９ａ内に、可動框１１が前記横枠６，７のガイド部６ａ，６ｂ及び７ａ，７ｂによりガイドされない上記非ガイド空隙２５を形成しているので、ここに至った可動框１１は、その転輪１６が横枠５のガイド部にガイドされず、非ガイド空隙２５における側縁ガイド部材２０上まで落とし込まれる（図４及び図５参照）。
【００２３】
上記第１実施例では、図４及び図５から分かるように、連結部材８，９の横枠延長部８ａ，９ａ内において非ガイド空隙２５をスクリーンの側縁ガイド部材２０上に形成し、そのため、該側縁ガイド部材２０を横枠延長部８ａ，９ａ内まで挿入し、可動框１１の上下端の形状を該側縁ガイド部材２０の表面の形状に対応させ（図５参照）、該側縁ガイド部材２０上の非ガイド空隙２５に可動框を落とし込むようにしているが、図８及び図９に示す第２実施例では、横枠６，７ばかりでなく、それに収容するスクリーンの側縁ガイド部材２０も連結部材８，９の横枠延長部８ａ，９ａ内まで挿入せず、該横枠延長部８ａ，９ａの内底にネジ４４で固定したスペーサ２６によって、横枠８，９内の側縁ガイド部材２０の横枠長手方向移動を抑制し、該スペーサ２６上に非ガイド空隙２５を形成している。なお、第２実施例のその他の構成（以下において説明を付加している部分を除く。）は第１実施例と変わるところがない。
【００２４】
そして、上記第１及び第２実施例のいずれにおいても、下方の連結部材９の非ガイド空隙２５内へ可動框１１の下端を落とし込むことにより、該可動框１１が下方移動位置に達した状態、更に具体的には、可動框１１の下端が非ガイド空隙２５内のスクリーンの側縁ガイド部材２０上に載置され（図５参照）、あるいは、非ガイド空隙２５の内底に固定したスペーサ２６上に載置された状態において、該可動框１１のガイド部６ａ，６ｂ及び７ａ，７ｂに沿う開方向への移動を阻止する係止手段を、可動框１１と横枠６，７との間に設けている。
【００２５】
上記係止手段は、横枠６，７における可動框１１のガイド部６ａ，６ｂ及び７ａ，７ｂの端部により形成されるストッパ部３１（図４、図７及び第２実施例の図８参照）と、上記非ガイド空隙２５内へ端部が挿入された可動框１１の該挿入状態において、上記ストッパ部３１への当接により可動框１１の開方向移動が阻止される該可動框上の当接部３４，３５とにより構成している。具体的には、図５及び図７に示すように、上記横枠６，７のガイド部６ａ，６ｂ及び７ａ，７ｂが嵌入する一対のガイド溝１７の両側壁の端面のうちの上方の端面を、可動框１１が非ガイド空隙２５において下降したときのストッパ部３１に対する当接部３４、下方の端面を、スクリーン枠１を上下反転させた場合に可動框１１が下動（図７において可動框が上動）したときの当接部３５として、それらが可動框１１の上下方向移動時にストッパ部３１に当接するように形成される。
【００２６】
なお、図示を省略しているが、可動框１１の下端についても同様である。即ち、可動框１１は、その上下端において係止手段による係止を行うのが好ましいことから、上記ストッパ部３１とそれに当接する可動框１１の上下端における各当接部３４，３５とが、非ガイド空隙２５内へ端部を挿入した可動框１１の上下方向移動時に、該可動框１１の上下端においてそれぞれ当接するように、それらの当接部３４，３５が該可動框１１の上下端にそれぞれ設けられている。
【００２７】
また、図示した第１及び第２実施例では、上記非ガイド空隙２５を上下の連結部材８，９内に設け、可動框１１の上下方向への移動時に、該可動框１１の横枠６，７に沿う開方向への移動を阻止する上記係止手段をそれぞれ備えているが、これは、前述したように、スクリーン枠１の外形を実質的に上下対称形状に形成し、スクリーン枠１の枠面内における１８０°の回転により、スクリーン１０の吊り元を左右逆に変更可能にしていることから、つまり、上下を逆にして設置可能にすることを前提にしているためであり、この吊り元の変更を考慮する必要がない場合には、上記非ガイド空隙２５等を可動框１１の上下に設ける必要はない。また、上記外形を実質的に上下対称形状に形成するとは、スクリーン枠の上下を反転しても何ら支障なく使用できるような上下対称形状を意味している。
【００２８】
更に、上記第１及び第２実施例では、非ガイド空隙２５を横方向枠４，５の一部である連結部材８，９の横枠延長部８ａ，９ａに設けているが、横枠６，７が上記連結部材８，９内まで挿入されるように設計する場合には、その横枠のガイド部６ａ，６ｂ及び７ａ，７ｂを一部切除して非ガイド空隙２５を設けてもよい。この場合にも、非ガイド空隙２５の設置は、下方の横枠７のみとすることができる。
また、上記実施例では、係止手段をストッパ部３１とそれに当接する可動框１１の当接部３４，３５とによって形成しているが、該係止手段の設置は縦枠３でも横方向枠４，５でも、あるいは、後述する実施例のような係止ブロックに設けても差し支えない。要は、可動框１１端を非ガイド空隙２５に挿入したときに係合して可動框の横移動を阻止する手段であればよい。
【００２９】
一般的には、可動框１１をスクリーン枠１に一旦組み付けてしまうと、該スクリーン枠１の全部または一部を取り外さない限り、可動框１１を取り外すことができず、該可動框の一部の補修やメンテナンス、スクリーンの交換等を行うのが困難になるが、上記第２実施例のスクリーン装置においては、非ガイド空隙２５を有効に利用して、スクリーン枠１を建物開口部に設置したままで、可動框１１を取り外し可能に形成している。
【００３０】
即ち、図８に明瞭に示すように、上記非ガイド空隙２５の内底に配設しているスペーサ２６は、それをネジ４４により連結部材９に着脱自在とし、該スペーサ２６の離脱により非ガイド空隙２５の深さを拡大できるようにしている。そして、その深さが拡大した非ガイド空隙２５に可動框１１の一端を挿入したとき、該可動框１１の他端が、それがガイドされる他方の横枠６のガイド部６ａ，６ｂにガイドされることなく、図９に示すような可動框１１の傾斜により、横枠６から離脱可能に形成している。従って、この可動框１１の傾斜状態でその下端を上記非ガイド空隙２５から抜き出すことにより、スクリーン枠１の設置状態で可動框１１を該スクリーン枠１から取り外すことができる。
【００３１】
なお、上記スペーサ２６におけるスクリーン１０の導入側に設けた切り込み２６ａは、スクリーン１０の端部に設けたところの、先端に多数の係合片１８ａを取り付けた係合部材１８との干渉を避けるためのものである。
また、ここでは、縦枠３の下端の連結部材９内のスペーサ２６を取り外して可動框１１を取り外す場合について説明したが、該縦枠３の上端の連結部材８内にも同様なスペーサ２６を備えており、それを取り外しても上下が逆になるだけで同様の手順で可動框１１を取り外すことができる。
【００３２】
この可動框１１の取り外しに際しては、可動框１１からスクリーン１０を取り外しておく必要があるが、前述したようにスクリーン１０は可動框１１に対して着脱自在であり、即ち、可動框１１の取付溝２４に取付部材２２を介してスクリーン１０を取り付け、該取付溝２４の口縁の係止凹部２４ａに係止している上記取付部材２２の係合鈎部２２ａを、取付溝２４の口縁の操作凹部２４ｂを通してドライバー等の工具の先端で上記係止凹部２４ａから離脱できるようにしているので、上記取付部材２２を可動框１１から容易に取り外すことができる。
このようにして、可動框１１から予めスクリーン１０を取り外しておけば、上述した操作により、建物開口部に設置されているスクリーン枠１から可動框１１を取り外すことができる。
【００３３】
上記構成を有するスクリーン装置においては、既知のスクリーン装置と同様に、可動框１１の操作でスクリーン１０を張設操作することができるが、該スクリーン１０を完全に張設した段階では、可動框１１の下端が縦枠３の下端の連結部材９内における非ガイド空隙２５に落とし込まれ、あるいは、若干の操作により同非ガイド空隙２５に落とし込むことができ、その状態では、可動框１１上の当接部３４，３５が、横枠６，７における可動框１１のガイド部６ａ，６ｂ及び７ａ，７ｂの端部のストッパ部３１に当接するので、該可動框１１の開方向移動が阻止され、即ち、可動框がスクリーンの張設位置でロックされる。
【００３４】
また、この可動框１１のロック状態からそのロックを解除してスクリーン１０を巻き取る場合には、可動框１１を軽く持ち上げればよく、それによって、可動框１１の上下端部が横枠６，７におけるガイド部６ａ，６ｂ及び７ａ，７ｂによりガイドされる位置に移動するので、スクリーン１０に作用する巻取軸１３の巻取力により、あるいは巻取り方向に可動框を軽く押すだけで、スクリーン１０を収納状態に戻すことができる。
特に、巻取軸内に設けたスプリングの付勢力でスクリーンを巻き取るようにした巻取式のスクリーン装置のように、スクリーン１０に巻取力が作用するスクリーン装置では、上記可動框を軽く持ち上げるだけの操作で容易にスクリーンを巻き取ることができる。
【００３５】
図１０は、基本的に上記第１及び第２実施例のスクリーン装置が有している構成を、両開きのスクリーンに適用した第３実施例を示している。このスクリーン装置は、一対のスクリーン１０Ａ，１０Ｂを、スクリーン枠１′における左右の縦枠２Ａ，２Ｂと、そのそれぞれに対応する可動框１１Ａ，１１Ｂとの間に設け、両可動框によりそれぞれのスクリーンの開閉を独立に行い、中央部での両可動框１１Ａ，１１Ｂの接合により、両スクリーンを張設状態に保持するようにした両開きのものである。なお、上記中央部での両可動框の接合とは、寸法的に左右の縦枠２Ａ，２Ｂの丁度中間であることを意味するものではなく、丁度中間から左右いずれかの方向に若干ずれた位置での接合をも含むものである。後述する第５実施例においても同様である。
【００３６】
そして、上下の横方向枠４Ａ，５Ａにおいて各スクリーン１０Ａ，１０Ｂの張設時に各可動框１１Ａ，１１Ｂが接合状態で位置する部位に、それぞれ、前記第１または第２実施例と同様な非ガイド空隙２５Ａ，２５Ｂを設け、両可動框１１Ａ，１１Ｂの下端部を独立して上記非ガイド空隙２５Ａ，２５Ｂ内に挿脱可能に構成している。この一対の非ガイド空隙２５Ａ，２５Ｂは、上下の横方向枠４Ａ，５Ａを構成する横枠６，７自体に、それらのガイド部（６ａ，６ｂ，７ａ，７ｂ：図２参照）の一部を切除して形成してもよいが、その部分に前記実施例の連結部材８，９に対応するような部品を配置して構成することもできる。一対の可動框１１Ａ，１１Ｂの相互間にそれらを接合するマグネット等を設ける必要はないが、それらを設けても差し支えない。
なお、この実施例の場合、左右の吊り元を変更する必要はないので、前記実施例のように、上下を実質的に対称の構造にする必要はない。
【００３７】
従来、左右の縦枠にそれぞれスプリングによる巻取式のスクリーンの一端を固定し、それらのスクリーンの他端にそれぞれ可動框を取り付け、中央で両可動框を着脱自在に接合するようにした両開きのスクリーン装置においては、左右の可動框を合わせて可動框相互をマグネットや掛け鈎等を用いて結合しないとロックが掛けられず、通常は片方のみを止めておくことができなかったが、上記構成によれば、可動框を片側ずつロック・解除することができる。
ここに図１０を参照して説明した両開きのスクリーン装置のその他の構成及び作用は、図１〜図９を参照して説明した前記実施例のものと実質的に変わるところがないので、それらの説明を省略する。
【００３８】
図１１〜図１６は、本発明の第４実施例を示している。この第４実施例と、前記第１及び第２実施例との主たる違いは、この第４実施例では、スクリーン枠５１の横枠５６，５７に沿って移動させる可動框６１を該横枠５６，５７内の側縁ガイド部材７０によりガイドさせ、スクリーン枠５１のコーナー部において縦枠５３と連結される横枠５６，５７内に側縁ガイド部材７０の切除により非ガイド空隙７５を形成し、また、該横枠５６，５７に固定した上下の係止ブロック７７，７８に、可動框６１の上下端に設けた当接部８４及び当接部８５ａ，８５ｂが当接するストッパ部８１及びストッパ部８２ａ，８２ｂを形成すると共に、上方の係止ブロック７７に、可動框６１を下方の非ガイド空隙７５に落とし込むための傾斜ガイド面７７ａを形成し、更に、吊り元の変更のために上下の係止ブロック７７，７８の交換を行うのを容易化した点などにある。なお、その他の違いについては以下に詳述するが、以下において説明しない点は第１実施例と実質的に同じと理解されるべきである。
【００３９】
この第４実施例の構成について詳細に説明すると、図１１〜図１４に示すスクリーン枠５１は、一対の縦枠５２，５３と上下の横方向枠５４，５５とを備え、上記縦枠５２は、内部にスプリングの付勢力でスクリーン６０を巻き取る巻取軸６３を備えた巻取りボックスとして、他方の縦枠５３はスクリーン６０の全張設状態において可動框６１が当接する受け枠として構成され、上記横方向枠５４，５５の主要部を構成する横枠５６，５７と受け枠を構成する縦枠５３とは、縦枠５３の上下端のコーナー部において各連結部材５８，５９を介して連結されている。
【００４０】
上記横枠５６，５７は、スクリーン６０の側縁をガイドするもので、第１実施例と同様に、スクリーン６０側において開口する溝状の型材で形成しているが、この実施例ではそれらの開口の口縁等を可動框６１のガイド部にすることなく、上記スクリーン６０の側縁（図１１の上下端縁）を保持してガイドする側縁ガイド部材７０（図１２、図１４参照）により可動框６１をガイドするようにしている。
【００４１】
すなわち、前記第１実施例と同様に、スクリーン６０の両側縁には、先端に多数の係合片６８ａを列設状態で取り付けた係合部材６８を設け、一方、横枠５６，５７内には、摺動性のよい合成樹脂により形成して上記係合片６８ａを係合させるスリット７０ａを設けた側縁ガイド部材７０を、その両側に突出する凸板７０ｂを上下の横枠５６，５７の内溝５６ｄ，５７ｄ内に嵌挿して設け、これによりスクリーン６０の側縁を保持させるようにしている。そして、この側縁ガイド部材７０における上記スリット７０ａの両側の側壁７０ｃの先端面を、可動框６１の両端に設けた各一対の転輪６６の転動面とし、また、それらの側壁７０ｃの外側面をガイド面として、上記可動框６１の開閉方向の移動をガイドするようにしている。即ち、上記側縁ガイド部材７０による可動框６１の上下端のガイドのため、該可動框６１には、該側縁ガイド部材７０を挟む一対の突壁６７，６７を突設し、各突壁６７またはその先端に付設したガイド板６７ａが、側縁ガイド部材７０の側壁７０ｃの外側面にガイドされるように形成している。
【００４２】
また、この第４実施例においても、スクリーン６０は上記巻取軸６３及び可動框６１に着脱自在に固定され、特に該可動框６１に対する取付構造は、図１３から分かるように、第１実施例の場合（図６及び図７）と実質的に変わるところがなく、同様な取付部材７２を介してスクリーン６０が固定されるものである。更に、その取付部材７２はドライバー等の工具で離脱できるように構成されている。
そして、この可動框６１においても、該可動框６１に対するスクリーン６０の上下方向の移動を許容するように形成され、すなわち、取付部材７２のスリット７２ｂにおいてスクリーン６０が強く挟まれることなく保持され、それによって、スクリーン６０の全張設状態において可動框６１を後述の非ガイド空隙７５に落とし込んだときに、該スクリーン６０が可動框６１に対して移動しやすく、スクリーン６０に皺が生じたり破損したりするのが防止される。
【００４３】
スクリーン枠５１のコーナー部において縦枠５３と連結される上記横枠５６，５７内には、該横枠５６，５７に沿ってその内部に上述したスクリーンの側縁ガイド部材７０が収容されるが、スクリーン枠５１内の全面にスクリーン６０を張設した状態で可動框６１をその位置にロックするための非ガイド空隙７５を形成するため、スクリーン６０が全張設状態にあるときに可動框６１が位置する部位における上下の横枠５６，５７内において、上記側縁ガイド部材７０を切除し、該側縁ガイド部材７０による可動框６１のガイドが解除されるようにしている。但し、その部位においては、横枠５６に図１５に示すような係止ブロック７７が、また横枠５７には図１６に示すような係止ブロック７８が取り付けられ、この部位においては可動框６１が下方の非ガイド空隙７５おける係止ブロック７８上に落とし込まれるようにしている。
【００４４】
下方の横枠５７の非ガイド空隙７５に落とし込まれた可動框６１が横枠５６，５７に沿って移動するのを阻止するための係止手段としては、スクリーン枠５１のコーナー部において上下の横枠５６，５７に固定した係止ブロック７７，７８に、それぞれ以下に説明するストッパ部を設けると共に、可動框６１の上下端に、上記非ガイド空隙７５内への可動框端の挿入時に該ストッパ部に当接する当接部を設けている。
【００４５】
上記係止手段について更に具体的に説明すると、上部の横枠５６に固定した上方の係止ブロック７７には、図１４及び図１５に示すように、一対のストッパ部８１を設け、このストッパ部８１に、可動框６１における上方の一対の突壁６７の先端にそれぞれ付設したガイド板６７ａの一端の当接部８４が当接するようにしている。また、下部の横枠５７に固定した下方の係止ブロック７８には、図１４及び図１６に示すように、可動框６１の下方の一対の突壁６７の先端にそれぞれ付設したガイド板６７ａの一端の当接部８５ａが当接する第１のストッパ部８２ａを設けると共に、可動框６１の下端の一部に形成された当接部８５ｂが当接する第２のストッパ部８２ｂを設けている。
【００４６】
上記係止ブロック７７，７８のストッパ部８１，８２ａ，８２ｂは、可動框６１の当接部８４，８５ａを設けているガイド板６７ａや可動框６１の当接部８５ｂを設けた部分がそれを乗り越えた後に、該可動框６１が非ガイド空隙７５に落ち込むことにより、それらの当接部８４，８５ａ，８５ｂがそれぞれの上記ストッパ部８１，８２ａ，８２ｂに当接するように形成されるが、上記乗り越えを容易にし、あるいは乗り越えができなくなるのを抑止するため、各ストッパ部８１，８２ａ，８２ｂにおけるスクリーン張設時の可動框６１の接近側に、該ストッパ部の形成部分に上記ガイド板６７ａ等を乗り上げさせるための斜面を形成するのが望ましい。
【００４７】
上記可動框６１が比較的大きい重量を持っている場合には、該可動框６１が縦枠５３に当接する位置、つまり可動框６１が非ガイド空隙７５上まで移動したときに、その重量によって該空隙７５内に落とし込まれるが、例えば、可動框６１が比較的短くてその重量がさほど大きくない場合には、可動框６１が非ガイド空隙７５に自動的に落とし込まれず、それを落とし込むための押し下げ操作が必要になる。このような操作を不要にするため、上記上方の係止ブロック７７には、スクリーン６０の全張設位置において可動框６１を下方の横枠５７における非ガイド空隙７５に落とし込むための一対の傾斜ガイド面７７ａが形成されている。この傾斜ガイド面７７ａは、図１５の（ａ）の状態から可動框６１を縦枠５３に接する方向に移動させ、可動框６１の上端に設けた一対のガイド板６７ａがストッパ部８１を越えた後において、スクリーン６０が全張設位置に達する直前に該ガイド板６７ａが接触し、それによって可動框６１が下向きに落とし込まれるようにしたものである。その落とし込まれた状態で可動框６１から手を離すと、巻取軸６３内のスプリングの付勢力で、同図（ｂ）の状態に上記ガイド板６７ａの当接部８４がストッパ部８１に係止することになる。
【００４８】
上記係止ブロック７７，７８を横枠５６，５７に固定するため、図１６（ｂ）に示すような略板状の固定部材８０が、係止ブロック７７，７８に共通のものとして、横枠５６，５７において前記側縁ガイド部材７０の凸板７０ｂを嵌挿している内溝５６ｄ，５７ｄの延長内に嵌挿して固定され、それらの固定部材８０に対して係止ブロック７７，７８を共通の固定子９４により着脱可能に固定するようにしている。これらの係止ブロック７７，７８を後述する取付機構により容易に着脱可能にしているのは、吊り元の変更のためにスクリーン枠５１を上下反転させるときに、上下の形状が異なる係止ブロック７７，７８を上下の横方向枠５６，５７に同じ取付け構造で交換可能に取り付けておくのが有利であるからである。
【００４９】
横枠５６，５７に対する上下の係止ブロック７７，７８の取付け機構としては、図１６の（ｂ）に示すように、横枠５６，５７における係止ブロック７７，７８の固定位置に固定される上記固定部材８０に固定穴８０ａを設け、この固定穴８０ａの内面に、図１６の（ｃ）に展開図として示すように、１８０°を超えない範囲内で一対の螺旋状溝８０ｂを形成しておき、この固定部材８０の固定穴８０ａに対向する位置に取付孔７７ｂ，７８ｂを備えた係止ブロック７７，７８を、該取付孔７７ａ，７８ａに回転自在に弾性リング等でスナップ固定した固定子９４により固定するようにしたものである。上記固定子９４は、上記螺旋状溝８０ｂに係止するピン９４ａの一対が周面に突設されたものであり、上記螺旋状溝８０ｂは、固定子９４に設けた一対のピン９４ａが１８０°を超えない範囲での回転により、溝奥の戻り凹部８０ｃに係止するものである。
【００５０】
従って、上記固定部材８０に被設される係止ブロック７７，７８に設けた取付孔７７ａ，７８ａ内に回転自在にスナップ固定された固定子９４を、その周面のピン９４ａを上記螺旋状溝８０ｂに挿入してドライバー等で１８０°の範囲内で回転させると、該ピン９４ａを螺旋状溝８０ｂの溝奥の戻り凹部８０ｃに係止させて係止ブロックを簡易に固定することができ、一方、係止ブロック７７，７８の取り外しに際して該固定子９４を逆回転させると、固定子９４が係止ブロック７７，７８にスナップ固定されていることから、螺旋状溝８０ｂに沿うピン９４ａの移動により係止ブロック７７，７８が固定部材８０から浮上し、その取り外し、交換を簡単、迅速に行うことができる。
【００５１】
図１７〜図１９は、上記第４実施例のスクリーン装置の構成を、両開きのスクリーン装置に適用した第５実施例を示すもので、左右の縦枠５２Ａ，５２Ｂが内部にスクリーン６０Ａ，６０Ｂを巻き取るための巻取軸６３Ａ，６３Ｂを備えた巻取式スクリーン装置の巻取りボックスとして構成している。
即ち、この第５実施例においては、スクリーン枠５１′における上下の横枠５６Ａ，５７Ａの中央部において、それらの横枠に沿ってその内部に収容したところの、スクリーン６０Ａ，６０Ｂの側縁ガイド部材７０Ａ，７０Ｂを切除することにより、その切除部分に左右の可動框６１Ａ，６１Ｂの非ガイド空隙７５Ａ，７５Ｂを形成し、この非ガイド空隙７５Ａ，７５Ｂ内に、以下に説明するように、下方の非ガイド空隙７５Ｂ内への可動框６１Ａ，６１Ｂ端の落とし込み挿入時に、該可動框６１Ａ，６１Ｂの上下端の当接部が当接するところの、図１８及び図１９に示すストッパ部を備えた係止ブロック７７Ａ，７８Ａを固定している。上記可動框６１Ａ，６１Ｂ及びスクリーン６０Ａ，６０Ｂの側縁ガイド部材７０Ａ，７０Ｂは、前記第４実施例の場合と同じ形状を有するものである。
【００５２】
図１８に示す上部の横枠５６Ａに固定する係止ブロック７７Ａは、同図（ｂ）に明瞭に示すように、上記横枠５６Ａに固定するブロック基体８６Ａに対し、ストッパ部８７Ａ，８７Ｂを備えたストッパ部材８７が、該ストッパ部材８７とブロック基体８６Ａに対して螺挿したネジ９０の頭部との間に縮設したスプリング８９により上方に付勢して上下可動に設けられている。上記ストッパ部材８７のストッパ部８７Ａ，８７Ｂは、両側の可動框６１Ａ，６１Ｂに形成したガイド板６７Ａ，６７Ｂの当接部８４Ａ，８４Ｂがそれぞれ係止するもので、該ストッパ部８７Ａ，８７Ｂの背後には、それに接近する可動框の当接部８４Ａ，８４Ｂを上方に導く傾斜ガイド面８７ａ，８７ｂが形成されている。また、上記ブロック基体８６Ａには、可動框６１Ａ，６１Ｂのガイド板６７Ａ，６７Ｂが接触して該可動框を非ガイド空隙７５Ｂに落とし込むための傾斜ガイド面８６ａ，８６ｂを設けている。
【００５３】
上述した両開きのスクリーン装置においては、スクリーン枠５１′における縦枠５２Ａ，５２Ｂ間の長さが大きくなるため、上下の横枠５６Ａ，５７Ａの間隔を全体的に一定にすることが困難で、その中央部において若干の誤差が生じる可能性がある。上記スプリング８９によるストッパ部材８７の弾性的支持は、この誤差を吸収させるものである。
また、下部の横枠５６Ｂに固定する係止ブロック７８Ａは、図１７及び図１９に示すように、上記横枠５６Ｂに固定するブロック基体８６Ｂに、両側の可動框６１Ａ，６１Ｂの下部に形成した当接部８４Ａ，８４Ｂ及び８４Ｃ，８４Ｄがそれぞれ係止するストッパ部８８Ａ，８８Ｂ，８８Ｃ，８８Ｄを備えたものである。
【００５４】
上記第５実施例におけるその他の構成で、第４実施例と共通化できるところは同第４実施例と同一の構成が採用されるので、それらについては説明を省略する。
なお、ここではスクリーン装置が巻取式である第１〜第５の実施例について示しているが、本発明はスクリーン１０，１０Ａ，１０Ｂ，６０，６０Ａ，６０Ｂの形態及びそれらの開閉機構の構成に拘わらず適用できるものである。
【図面の簡単な説明】
【００５５】
【図１】本発明に係るスクリーン装置の第１実施例を示す一部破断正面図である。
【図２】同実施例の図１におけるＡ−Ａ矢示側断面図である。
【図３】同実施例の一部破断平面図である。
【図４】同実施例における可動框をスクリーン張設位置でロックした状態を示す一部破断正面図である。
【図５】図４のスクリーン張設位置において可動框を縦枠３側からみた側断面図である。
【図６】同実施例における可動框の拡大断面図である。
【図７】同実施例におけるスクリーン取付側から見た可動框の上端部の部分拡大図である。
【図８】本発明に係るスクリーン装置の第２実施例における縦枠（受け枠）の下端の連結部材の構成を示す拡大斜視図である。
【図９】同第２実施例における可動框の取り外しに関する説明図である。
【図１０】上記第１実施例の構成を両開きのスクリーン装置に適用した本発明の第３実施例の正面図である。
【図１１】本発明に係るスクリーン装置の第４実施例を示す正面図である。
【図１２】同第４実施例における図１１のＢ−Ｂ矢示側断面図である。
【図１３】同実施例における可動框の拡大断面図である。
【図１４】同実施例におけるスクリーン枠の要部分解斜視図である。
【図１５】（ａ）及び（ｂ）は、同実施例における可動框の上端部と上方の係止ブロックとの係合態様を示す部分説明図である。
【図１６】（ａ）は同実施例における下方の係止ブロックの取付け状態を示す斜視図、（ｂ）は取外し状態の斜視図、（ｃ）は係止ブロックの固定部材における固定穴内面の螺旋状溝についての展開説明図である。
【図１７】本発明を両開きのスクリーン装置に適用した第５実施例を示す正面図である。
【図１８】（ａ）は上記第５実施例における上方の係止ブロックの斜視図、（ｂ）はその分解断面図である。
【図１９】同実施例における下方の係止ブロックの斜視図である。
【符号の説明】
【００５６】
１，５１      スクリーン枠
２，３，５２，５３    縦枠
４，５，５４，５５    横方向枠
６，７，５６，５７    横枠
６ａ，６ｂ，７ａ，７ｂ    ガイド部
８，９，５８，５９    連結部材
８ａ，９ａ    横枠延長部
１０，１０Ａ，１０Ｂ，６０    スクリーン
１１，６１    可動框
１３，６３    巻取軸
１４      スプリング
２０，７０    側縁ガイド部材
２５，７５      非ガイド空隙
３１      ストッパ部
３４，３５    当接部
２６      スペーサ
７７，７８     係止ブロック    
７７ａ    傾斜ガイド面
３１，８１，８２ａ，８２ｂ    ストッパ部
３４，３５、８４，８５ａ，８５ｂ    当接部
９４      固定子
【図１】
2008025332.tif 000003
【図２】
2008025332.tif 000004
【図３】
2008025332.tif 000005
【図４】
2008025332.tif 000006
【図５】
2008025332.tif 000007
【図６】
2008025332.tif 000008
【図７】
2008025332.tif 000009
【図８】
2008025332.tif 000010
【図９】
2008025332.tif 000011
【図１０】
2008025332.tif 000012
【図１１】
2008025332.tif 000013
【図１２】
2008025332.tif 000014
【図１３】
2008025332.tif 000015
【図１４】
2008025332.tif 000016
【図１５】
2008025332.tif 000017
【図１６】
2008025332.tif 000018
【図１７】
2008025332.tif 000019
【図１８】
2008025332.tif 000020
【図１９】
2008025332.tif 000021